(57)【要約】【目的】  土中埋設用アンカーのうち土砂や砂礫等からなる脆い土質層に適用されるアンカーとして、容易に進入させかつ在土の攪拌や耕鋤をきたさないようにするものを提供する。【構成】  脆弱土質層部に使用されるアンカー７は、その土中埋没部７ａが直径Ｄ一定・ピッチｐ一定のコイルで形成される。螺進を容易にするために尖鋭となっている土中埋没部のコイル先端７ｃも、一定をなす直径Ｄ上に置かれる。土中埋没部７ａの上部にあって地表に現れる表層突出部７ｂには、地山の起伏に応じて押圧密着を図るための押さえ具を取り付けるため、コイル形状から脱した形の固定部が設けられる。地山に対する係止が十分なされ、大きな引き抜き耐力を生じさせ、異硬二層地においても、アンカーとしての機能を十分に発揮させることができる。【選択図】        図１
2005030160.tif 000002
【特許請求の範囲】
【請求項１】
散在する岩や土石が崩落する可能性の高い傾斜地にワイヤロープを略縦横に張りめぐらせ、各ワイヤロープの端末や交差部、さらには前記ワイヤロープ下に金網が敷設されている場合の敷設面の適宜箇所を地山に固定もしくは密着させるようにした法面崩落防止工で使用される土中埋設用アンカーにおいて、
前記土中埋設用アンカーのうち脆弱土質層部に適用されるアンカーは、その土中埋没部が直径一定・ピッチ一定のコイルで形成され、
尖鋭となっている前記土中埋没部のコイル先端も、前記一定をなす直径上に位置されており、
前記土中埋没部の上部にあって地表に現れる表層突出部には、地山の起伏に応じて押圧密着を図るための押さえ具を取り付けるためコイル形状から脱した形の固定部が設けられていることを特徴とする法面崩落防止工における脆弱土質層部埋設用コイルアンカー。
【請求項２】
前記表層突出部は上方へ延びる直線状に形成されていることを特徴とする請求項１に記載された法面崩落防止工における脆弱土質層部埋設用コイルアンカー。
【請求項３】
前記押さえ具は、法面と略平行をなす押さえ部と、該押さえ部端から地山に向けて延びる差込み部とを備えることを特徴とする請求項１または請求項２に記載された法面崩落防止工における脆弱土質層部埋設用コイルアンカー。
【請求項４】
前記固定部は、前記コイル内を縦通して打設された棒状アンカーの上端部とも一体化できるようになっていることを特徴とする請求項１ないし請求項３のいずれか一項に記載された法面崩落防止工における脆弱土質層部埋設用コイルアンカー。
【請求項５】
散在する岩や土石が崩落する可能性の高い傾斜地にワイヤロープを略縦横に張りめぐらせ、各ワイヤロープの端末や交差部、さらには前記ワイヤロープ下に金網が敷設されている場合の敷設面の適宜箇所をアンカーを用いて地山に固定および密着させるようにした法面崩落防止工の施工法において、
アンカーを打設すべき箇所がその表層近傍で脆弱土質層をなしその下方が岩盤層となっている場合、まず脆弱土質層に対して請求項１に記載された脆弱土質層部埋設用コイルアンカーを螺進させ、次に該アンカーのコイル内を通過して前記岩盤層に到達するように穿孔し、その空孔に棒状アンカーを挿入して固化材により岩盤層に固定し、該棒状アンカーの表層突端部とコイルアンカーの表層突出部とを押圧密着用の押さえ具を介して一体化することを特徴とする法面崩落防止工法。
【発明の詳細な説明】
【技術分野】
【０００１】
本発明は法面崩落防止工における脆弱土質層部埋設用コイルアンカーおよび崩落防止工法に係り、詳しくは、ワイヤロープを張設するなどして法面からの浮き石等の剥落を防止する落石防止工を設置するにあたり、岩盤層打ち込み用アンカーでは大きい引き抜き抵抗を発揮し得ない土砂や砂礫等の脆弱土質層における固定力を強化できるようにした土中埋設用アンカーならびに崩落防止工法に関するものである。
【背景技術】
【０００２】
傾斜地に散在する浮き石の落下を防止したり抑止しておくために、例えば特開昭５７−２０９３３０号公報にも紹介されているように、ワイヤロープが略縦横に張設され、そのワイヤロープでもって傾斜面を押さえつけておくことがしばしば行われる。また、実開昭６２−１７２７３９号公報に表されているように、風化が進むなどして表層を覆う砂礫や砂岩の崩落を防止しようとする場合には、ワイヤロープの下に金網が予め敷設されたりする。
【０００３】
この種の法面崩落防止工においては、ワイヤロープまたは金網もしくはその両方を地山に密着させておくことが重要であり、多数のアンカーが使用される。アンカーには、ワイヤロープを縦横に張設するため端部を地山に強く固定しておくためのもの、ワイヤロープの交差部を押さえておくもの、ワイヤロープ張設前に金網を敷設した場合にはそれを地山に仮止めしておくもの、金網をワイヤロープと共に最終的に押さえつけておくものなどがある。
【０００４】
もちろん、その使用目的や地盤の状態に応じて適宜のサイズや形のアンカーが採用されることになるが、共通していることは、それが丸棒であれ異形棒鋼であれ、地山に埋設させる部分が原則として真っ直ぐになっていることである。言うまでもないが、それは地山に打ち込んだり、穿孔機によって岩盤に穿った深い孔に差し込んだりする際の利便性からによる。最も力を強く発揮させる必要のあるアンカーでは、特殊な固化材までも使用して穿孔部での引き抜き耐力の増強を図るということもしばしば行われる。
【０００５】
法面崩落防止工の必要となる傾斜地は岩ばかりからなる場合があれば、立ち木の生育も見られる土砂質が混在したり表土の風化が進んでいる場合もある。後者のような傾斜地においては、上記した真直なアンカーではまさしく「糠に釘」となってしまうことが多い。そのような場合、アンカーの打設ピッチを小さくして個々の荷重負担を軽減したり、モルタル等による補強を施し、所望する引き抜き耐力の発現を図ったりする。しかし、足場の悪い傾斜地や深い茂みの奥の急斜面の地形、岩場や風化した不安定な地帯での工事は難航を極める。
【０００６】
土砂質などの脆い土質層にアンカーを打っても、その引き抜き耐力を高く発揮させることができるようにする試みもなされなくはない。例えば、特開平１１−３５０４７８号公報には、細い平板材を捩じって「捩じり飴」のようにしたスパイラルアンカーが開示されている。捩じれば捩れ面で引き抜き抵抗を増大させることは容易に想像できるところである。
【０００７】
すなわち、地中に孔を掘り、スパイラルアンカーを沈めて土を戻し、それを押し固めれば、真直な棒材に比べて土との接触面積が広くなっている分だけ、アンカーとしての引き抜き耐力は向上しているはずである。しかし、摩擦面積を大きくしたといっても、スパイラル径を丸棒の例えば２倍ないし３倍にした程度であると、脆い地質においては依然として所望する大きな引き抜き耐力を発生させることが難しい。径を大きくすれば穿孔領域が拡大し、埋め戻しの作業負担も増大する。
【０００８】
このスパイラルアンカーの難点は何と言っても自己穿孔による打設に不向きであるということである。すなわち、ドリルは孔をあけるに好適なツールであることから分かるように、回転により進入させる際、在土をその直径分削屑化する。従って、所定の深さまで螺進させたとしても、スパイラルアンカーの通過部分は耕された状態になる。
【０００９】
ドリルやスクリューコンベアのスクリュー羽根と同じく螺進領域の土を排除するように作用するわけであるから、何らの処置も施さずもしくは簡単な土固めで打設作業を終えると、土との摩擦面積が広くなっているとはいえ土側の支持力は著しく落ちる。それゆえ、脆弱土質層部埋設用アンカーとしては十分な機能が発揮されず、手間の要する爾後処理が不可欠となったり、作業性の極めて低い工事が余儀なくされる。
【００１０】
実用新案登録第３０８１２５１号公報は、パイプ材の周囲に線材を螺旋状に巻付けた例を提案している。そのパイプ材の土中埋設部がテーパをなし、総じて矢尻状に形成されている。従って、巻き付けられた線材の螺旋径は漸減し、その先端は螺旋から外れて真っ直ぐに延ばされている。まさしくワインのコルク抜きのようなスパイラルコーンに成形される。
【００１１】
パイプ本体が先細形状となっているということは、自己穿孔により埋没できるようにする意図である。ましてや、螺旋を形成する線材の先端がパイプの縦軸に一致して真っ直ぐ延ばされ、穿孔方向の安定を図ろうとしていることからも、伺い知ることができる。しかし、この場合も、穿孔中に異なる径の螺旋体が通過するので在土は攪拌されてしまい、先の例と同じく地盤の弱い土質層部埋設用アンカーとしては致命的な問題を残す。
【特許文献１】特開平１１−３５０４７８号公報
【特許文献２】実用新案登録第３０８１２５１号公報
【発明の開示】
【発明が解決しようとする課題】
【００１２】
法面崩落防止工において脆い地層に適用するアンカーには、棒状もので大きい引き抜き耐力を発揮させることは至難であることが多く、螺旋（スパイラル）を利用した摩擦面積の拡大を狙ったアンカーが指向される。しかし、上記したように、その利便性を阻害する要因の最も大きい点は、自己穿孔による在土の弱状化である。また、螺旋にしたからと言って決して大断面もしくは大摩擦面積を確保できるとは限らず、引き抜き耐力の格段の増強は容易に得られるものでない。
【００１３】
自己穿孔時の脆土化の阻止と引き抜き抵抗面の増大化とは裏腹の関係にあり、一方を満たそうとすれば他方は満たされないという結果になるからである。それゆえ、両問題を一挙に解決することができる理想に近い脆弱土質層部埋設用アンカーの開発が待たれるところである。
【００１４】
ところで、法面崩落防止工を必要とする傾斜地の地質は硬岩質や脆い土質だけとは限らない。すなわち、表層は土質であるが下層は岩盤質であるということがしばしばある。土質の層厚が薄いときはそれを無視して例えば常用される９０ｃｍ程度の長さの硬岩用棒状アンカーを打設すればよいが、岩盤質に到達するまでに例えば５０ｃｍくらいあるという場合は問題を抱える。
【００１５】
すなわち、硬岩用棒状アンカーの上半部は脆弱土質層部分の通過にすぎず、岩盤への刺し込み固定長さが４０ｃｍ程度といったように短くなり、所定の量が確保されていなければ、硬岩用棒状アンカーとしての引き抜き耐力は十分に発揮されなくなる。一方、脆弱土質層部専用のアンカーを案出し、それを適用したとしても、浅い地層での土中進出量は所望する引き抜き耐力発生に必要な深さを稼ぐことができず、結局は地山への係止力は低いままとなる。
【００１６】
本発明は上記の問題に鑑みなされたもので、その目的は、土中埋設用アンカーのうち脆弱土質層部に適用されるアンカーとして、土砂や砂礫等からなる脆い土質層においても容易に進入させかつ在土の攪拌や耕鋤をきたさないようにすること、地山に対する係止が十分なされ大きな引き抜き耐力が発揮できるようにすること、さらには、脆弱土質層下に岩盤層が存在する場合の引き抜き耐力の発生不足を補うことができ、異硬二層地に対してもアンカーとしての機能を十分に発揮させることができるようにした法面崩落防止工における脆弱土質層部埋設用コイルアンカーと崩落防止工法を提供しようとするものである。
【課題を解決するための手段】
【００１７】
本発明は、散在する岩や土石が崩落する可能性の高い傾斜地にワイヤロープを略縦横に張りめぐらせ、各ワイヤロープの端末や交差部、さらには前記ワイヤロープ下に金網が敷設されている場合の敷設面の適宜箇所を地山に固定もしくは密着させるようにした法面崩落防止工で使用される土中埋設用アンカーに適用される。その特徴とするところは、図１を参照して、土中埋設用アンカーのうち脆弱土質層部に使用されるアンカー７は、その土中埋没部７ａが直径Ｄ一定・ピッチｐ一定のコイルで形成される。尖鋭となっている土中埋没部のコイル先端７ｃも、一定をなす直径Ｄ上に位置される。そして、土中埋没部７ａの上部にあって地表に現れる表層突出部７ｂには、地山の起伏に応じて押圧密着を図るための押さえ具８（図３を参照）を取り付けるため、コイル形状から脱した形の固定部が設けられていることである。
【００１８】
表層突出部７ｂは、図１に示すように、上方へ延びる直線状に形成されていればよい。押さえ具８は、図３にあるごとく、法面と略平行をなす押さえ部８ａとその押さえ部端から地山に向けて延びる差込み部８ｂとが備えられる。
【００１９】
図５に示すように、表層突出部７ｂの固定部は、コイル内を縦通して打設された棒状アンカー５の上端部とも一体化できるようにしておくとよい。
【００２０】
法面崩落防止工法の発明は、アンカーを打設すべき箇所が、その表層近傍で脆弱土質層をなし、その下方が岩盤層となっている場合、まず脆弱土質層１５に対して前記したコイルアンカー７を螺進させる。次に、そのアンカー７のコイル内を通過して岩盤層１６に到達するように穿孔する。その空孔１６ａに棒状アンカー５を挿入して固化材により岩盤層に固定する。棒状アンカー５の表層突端部５ｂとコイルアンカー７の表層突出部７ｂとを押圧密着用の押さえ具８を介して一体化するという手順を採る。
【発明の効果】
【００２１】
本発明によれば、土中埋設用アンカーのうち脆弱土質層部に適用されるアンカーは、その土中埋没部が直径一定・ピッチ一定のコイルであり、その尖鋭な先端はコイル直径上に位置しているので、土砂や砂礫等の土質層においてコイルの通過軌跡は一定すなわち後続のコイルはコイル先端の削入部をたどるのみとなる。従ってコイル先端が進入しさえすれば後続コイル部が受ける抵抗は極めて少なく、アンカー埋入操作に要するインパクトレンチ等の工具に及ぶ負荷も軽減される。工期の短縮や施工品質の向上も図りやすくなる。
【００２２】
このようにアンカー埋設作業の円滑や操作時間の短縮により、施工の能率が大幅に改善される。もちろん、土中埋没部が進入する在土の攪拌や耕鋤は回避されることになり、コイルアンカーの地山への係止力は向上する。結局は高い引き抜き耐力を発揮すると共に、降雨等による在土とコイルとの密着も早期に図られ、引き抜き力の増進も期待される。
【００２３】
地表に現れる表層突出部には地山の起伏に応じてワイヤロープや金網を押圧密着させる押さえ具を取り付ける固定部が設けられるから、所望する形状やサイズの押さえ具を装備させることができる。コイル形状のみであれば押さえ具との連結や固縛は容易でないが、コイル形状から脱した形としておけば、締結機構や締結構造物を係止させやすくなる。
【００２４】
上記した表層突出部がコイル形状から離れて上方へ延びる直線状に形成されていると、ねじ式であれ係合式であれ各種の締結機構等に対応させやすく、最も簡単には先端にねじを刻設しておけば押さえ具の孔に通してからナットを掛けるだけで、ワイヤロープや金網を押さえる金具の固定が簡単になされる。
【００２５】
その押さえ具としては、法面と略平行をなす押さえ部と、その押さえ部端から地山に向けて延びる差込み部とを備えれば、差込み部、押さえ部とアンカーとによって大略逆Ｕ字形が形成され、これによってワイヤロープやその交差部、金網さらには金網とワイヤロープとの押さえ込みが図られる。
【００２６】
ところで、押さえ具の固定部がコイル内を縦通して打設された棒状アンカーの上端部とも一体化できるようになっていると、脆弱土質層部埋設用コイルアンカーと硬岩用棒状アンカーとを同一箇所で同心状に配置して併用することができる。従って、脆弱土質層が深く続かず下方に岩盤や岩質層が存在してコイルアンカーだけでは十分な引き抜き耐力が得られないときでも、硬岩用棒状アンカーの岩盤層への立て込みによって引き抜き耐力の増強を図ることができる。その際、硬岩用棒状アンカーに交差アンカークリップが取りつけられていても、そのクリップに固定するに適当な形状を押さえ具に与えておけばよい。
【００２７】
これは硬さの異なる二層が重畳する箇所では、極めて有効な手だてとなる。言うまでもなく、コイルアンカーの径を大きくすれば内部に硬岩用棒状アンカーのための下穴穿設領域が確保されやすくなること、そのコイルアンカーの内部が攪拌や耕鋤されないので穿孔壁の崩れをきたしにくい状態に保持できることに基づく。
【００２８】
異硬二層地にアンカーを打設するにあたっては、脆弱土質層に対するコイルアンカーの螺進、コイルアンカー内通過による岩盤層の穿孔、空孔への棒状アンカーの挿入と岩盤層への固定、棒状アンカーの表層突端部とコイルアンカーの表層突出部との一体化の工程を踏めば、押圧密着用の押さえ具に与える引き抜き耐力を倍加することができる。コイルアンカーの径は硬岩用棒状アンカーの太さや土質等に応じて選択すればよく、施工対象部位での埋設深さなども柔軟に対応させればよい。
【発明を実施するための最良の形態】
【００２９】
以下に、本発明に係る法面崩落防止工における脆弱土質層部埋設用コイルアンカーおよび崩落防止工法を、図面に基づいて詳細に説明する。図２は法面崩落防止工１の平面図で、散在する岩や土石が剥落する可能性の高い傾斜地に多数のワイヤロープ２，２が略縦横に張りめぐらされている。そして、各ワイヤロープの端末や交差部、さらにはワイヤロープ下に敷設されている金網３の適宜箇所を地山に固定もしくは密着させて落石の発生を防止するようにしたものである。
【００３０】
金網３は例えば網厚の大きい菱形金網であり、岩石、土砂、砂礫等の崩落を防止すべく法面の傾斜や凹凸に沿って地表を覆う。ワイヤロープのうち縦ワイヤロープ２ａは法面崩落防止工全体に掛かる上下方向の荷重を支えて、滑り落ちを阻止する。横ワイヤロープ２ｂは縦ワイヤロープ２ａと共に金網３を押さえ、落石が生じてもその張りを利して阻止しておこうとするものである。
【００３１】
これらのワイヤロープ２，２の交差部は原則的には全ての箇所において交差クリップにより固縛され、張力の発生やその均衡が図られる。なお、交差クリップのうちの一部もしくは全部が通常は交差アンカークリップであり、ワイヤロープ２，２のアンカーによる地山固定が図られ、金網３と共に地表に沿って法面を被覆する。金網はまた結束コイル４を用いるなどして、ワイヤロープ２との一体化が図られる。
【００３２】
このような法面崩落防止工１には、幾種類ものアンカーが使用される。そのうちの代表的なものは硬岩用の棒状アンカーであり、それと併用される補助アンカーもある。前者は大きな力を発揮させる必要のある箇所で使用され、ワイヤロープまたは金網もしくはその両方を地山に強く密着させる。これは、引き抜き耐力を大きく発揮すべく岩盤に孔を穿って立てられ、固化材を使用するなどして固定される。図中に符号５と与えられたものがそれを示す。
【００３３】
後者の補助アンカーは大きな引き抜き耐力の発揮は期待されないとはいえ、地山に対して着実に係止されねばならない。これは図中符号６で示される。この補助アンカーには種々なものがあり、例えばワイヤロープ張設前に敷設された金網を地山に仮止めしておくもの、ワイヤロープ網の浮き箇所を押さえておくもの、金網をワイヤロープと共に押さえつけておくものなどがある。
【００３４】
本発明に係るアンカーは、それらのアンカーのうち脆弱土質層部で埋設するに好適なコイルアンカーである。法面崩落防止工の地質は硬岩層ばかりと限らず、また表土で被覆されたように見えることもあるが、土砂や砂礫からなる脆弱土質層と硬岩層とが混在することが多い。言うまでもないが、脆弱土質層においては真直な形状をした鉄棒等であると引き抜き力が作用したときの抵抗は強く発揮されず、抜け勝手となる。また、ワイヤロープを介して地山に沿った力すなわち水平力が頭部に作用するとアンカーの立て込み姿勢が崩れ、周囲土に偏圧が及んで打込み孔が拡径し、アンカー支持力の急激な低下をきたす。
【００３５】
そのような難点を解消すべく、本発明に係るアンカーは以下のように構成される。これは土中埋設用アンカーのうち脆弱土質層部に適用されるものであり、図１に示すように、総じてコイル状を呈したアンカー７となっている。コイル部は土中に進入して埋設状態に置かれる部分であり、上端の非コイル部はコイル部で発揮される引き抜き耐力によって支持される押さえ具を装着する部分である。
【００３６】
詳しく述べると、土中埋没部７ａの全てが、直径一定・ピッチ一定のコイルで形成される。線径ｄはもちろん一定であり、コイル径をＤと表し、ピッチをｐで表せば、同じ形の繰り返しとなる。そのうえ、土中埋没部のコイル先端７ｃも一定をなす直径Ｄ上に置かれているが、尖鋭な先端に与えられるすくい角は適宜選定される。なお、コイルの蔓巻き方向は特に規定されるところでないので、右巻きコイルであっても左巻きコイルであってもよい。
【００３７】
このようなアンカーにあって、コイル部は土中にくい込む尖鋭な先端７ｃが削入した経路をたどる。一旦開通したトンネルを通過するのと同じく、コイル部に作用する進入抵抗は主として先端に集中し、コイルの土中埋入時に受ける前進抵抗はおおいに軽減される。在土を攪拌したり耕鋤することもないので、元来脆い地層をさらに弱状化させるというようなことはない。施工後に降雨等があれば在土とコイルとの密着も早期に図られ、引き抜き耐力の助長も進む。
【００３８】
コイルアンカーの地山に対する一体化は増進され、しかもコイルの各背部が在土に押さえられることになって回転を伴わない動きに対しては係止力が高まり、引き抜き耐力の大幅な増強が実現される。なお、コイルアンカーは、インパクトレンチ等の打設器具を用いれば、簡単に螺進させることができる。もちろん、下孔をあけておくことは必要でなく、施工の単純化、迅速化が図られる。施工品質も一定しやすく、信頼性の高い法面崩落防止工を構築することができる。
【００３９】
上記した非コイル部は土中埋没部７ａの上部にあって地表に現れる表層突出部７ｂを形成する。これには、地山の起伏に応じて押圧密着を図るための押さえ具を取りつけることができる。そのため、この表層突出部７ｂはコイル形状から脱した形の固定部となっている。具体的に述べれば、図１からも分かるように、上方へ延びる直線状に形成される。この部分には例えば図示のごとくねじ７ｄが刻設され、押さえ具を取りつけてナットを掛けることができる。
【００４０】
押さえ具は８は、図３に示すように例えばＬ形に曲げられた金具でよい。これは法面と略平行をなす押さえ部８ａと地山に向けて延びる差込み部８ｂとを備える。この差込み部８ｂは、矢尻状に成形された先端を持つ平らな板面をなす。これに連なる押さえ部８ａも板状であり、一枚のプレートを曲げ加工するなどすれば簡単に製作される。なお、押さえ部８ａにはねじ７ｄの通る孔が設けられており、差込み部と押さえ部とアンカーとによって大略逆Ｕ字形が形成される。ナット９を掛けて強く締めれば、押さえ部８ａが金網３を押さえる一方、差込み部８ｂは金網のずれを阻止する。
【００４１】
このように、表層突出部７ｂには、地山の起伏に応じてワイヤロープ単体、金網単体、もしくはワイヤロープと金網を一体で押圧して地山に密着を図る押さえ具８を取り付けることができるので、所望する形状やサイズの押さえ具を、適宜装備させることが可能となる。コイル形状のみであれば押さえ具との連結や固縛は簡単でないが、コイル形状から脱した形であるから、緊結機構や締結構造を装着しやすい。
【００４２】
法面崩落防止工には、種々なるアンカーが使用されることを先に述べたが、本コイルアンカーだけでなく、図４に示したように、従前から知られている硬岩用棒状アンカー５や補助アンカーとしてのピンアンカー１０の類と併用することも何ら差し支えない。ちなみに、図４中の右にはピンアンカー１０の拡大図が参考までに示されている。
【００４３】
ところで、本発明に係る脆弱土質層部埋設用コイルアンカーはそれ単独で使用することを原則とするが、以下に述べるような場合には硬岩用棒状アンカーと併用することができる。この場合、図５に示すように硬岩用棒状アンカー５はコイルアンカー７と同心状に埋設される。
【００４４】
詳しく述べると、法面崩落防止工を必要とする法面には、硬岩質のみならず砂礫等からなる土質層が混在することがある。その場合、両地質が入り乱れたり重畳することも少なくない。すなわち、地山の表層近傍は風化した砂礫層であるがその下部が岩盤であるという異硬二層地である場合には、土質層対応のコイルアンカーの深さが例えば７０ｃｍであるとすると、脆弱な土質層が５０ｃｍしかないとき、そのサイズのコイルアンカーは最早使用することができなくなる。かと言って、硬岩用棒状アンカーを立てるには、長さに限りがあって岩盤層への立て込み固定量を十分に確保することができず、結局は所望する引き抜き耐力を発揮させ得ない事態が生じる。
【００４５】
このような異硬二層地にアンカーを立てる必要に迫られたときは、やや短いコイルアンカーと通常の長さもしくはそれより少し長い硬岩用棒状アンカーを準備し、それらを図５に示したように重装させる。まず、脆弱土質層１５に対してコイルアンカー７を螺進させる。次に、このアンカーのコイル内を通過して岩盤層１６に削入するまで穿孔する。その空孔１６ａに棒状の硬岩用アンカー５を挿入し、固化材を用いて岩盤層に固定する。
【００４６】
硬岩用棒状アンカー５の表層突端部５ｂとコイルアンカー７の表層突出部７ｂとに押圧密着用の押さえ具８を取り付ける。このような法面崩落防止工法によれば、表層突出部７ｂの固定部にコイル内を縦通した硬岩用棒状アンカーの上端部をも押さえ具８を介するなどして一体化しておくことができる。
【００４７】
図５ではワイヤロープの交差部を固縛するため二枚重ね構造の交差アンカークリップ１７が使用された例となっている。ワイヤロープ２ａ，２ｂはクリップ１７を介して硬岩用棒状アンカー５に固縛され、コイルアンカー７は押さえ具８を介して硬岩用棒状アンカー５と一体化されている。すなわち、押さえ具８は脆弱土質層部に埋設されたコイルアンカー７と岩盤層１６に立てられた硬岩用棒状アンカー５によって保持されることになり、押さえ具８に対する引き抜き耐力は加重された大きさとなる。ちなみに、交差アンカークリップの構造は如何にあれ、締結ボルトやナットが存在するので、押さえ具８に交差アンカークリップ締結ボルト１７ａの挿通孔を設けるなどすれば一体化は簡単に達成される。
【００４８】
このように、異硬二層地に適用するコイルアンカーは硬岩用棒状アンカーを通過させる関係で、単独で使用されるコイルアンカーよりは大径に成形しておくと都合のよいことが多い。もちろん、コイルアンカーの内部は攪拌されたり耕鋤されることはないので穿孔壁は崩壊しにくい状態に保たれ、硬岩用棒状アンカーの施工も円滑となる。
【００４９】
ところで、コイルアンカーの長さを脆弱土質層深さに応じて変えるというわけにもいかないことが多い。深さが少々異なる場合でも使用できるようにするためには、コイルの巻き数を最小不可欠な程度にとどめて表層突出部７ｂを長くしておき、埋込み量の過不足をその部分で吸収させるようにしてもよい。硬岩用棒状アンカーの径はコイルアンカーの径に応じて選択するようにしてもよく、施工対象の地質に応じて埋設深さなども適宜変更するといったように柔軟に対処させることもできる。
【００５０】
以上述べた本発明は図２に表した法面崩落防止工に関連づけて説明したが、法面崩落防止工としては金網の敷設されない場合にも適用することができる。いずれにしても、本発明は、土中埋設用アンカーのうち脆弱土質層部に適用されるアンカーやそれを利用した崩落防止工法の提案であり、土砂や礫石さらには風化した表土質が存在する地形、さらには異硬二層地での硬岩用棒状アンカーとの併用に好適なものとなっている。
【図面の簡単な説明】
【００５１】
【図１】本発明に係る脆弱土質層部埋設用コイルアンカーの正面、側面、平面、底面を表した形状説明図。
【図２】法面崩落防止工の一例を表した平面図。
【図３】法面崩落防止工の部分拡大を示し、コイルアンカーによる押さえ具の取付状態を説明した施工断面図。
【図４】各種のアンカーを使用した状態を示す法面崩落防止工の部分断面図。
【図５】異硬二層地においてコイルアンカーと硬岩用棒状アンカーとの併用を表した土中埋設図。
【符号の説明】
【００５２】
１…法面崩落防止工、２…ワイヤロープ、３…金網、５…硬岩用棒状アンカー、５ｂ…表層突端部、７…コイルアンカー、７ａ…土中埋没部、７ｂ…表層突出部、７ｃ…コイル先端、７ｄ…ねじ、８…押さえ具、８ａ…押さえ部、８ｂ…差込み部、９…ナット、１５…脆弱土質層、１６…岩盤層、１６ａ…空孔、Ｄ…コイル径、ｐ…ピッチ。
【図１】
2005030160.tif 000003
【図２】
2005030160.tif 000004
【図３】
2005030160.tif 000005
【図４】
2005030160.tif 000006
【図５】
2005030160.tif 000007